(57)【要約】【課題】各組織の様々な性状情報および診断情報を求める超音波画像診断装置、超音波画像生成方法およびプログラムを提供する。【解決手段】局所音速値と、予め設定された組織固有の音速の特徴である特徴情報とに基づいて、着目領域を２以上の分割領域に分割し、分割した着目領域の情報を領域情報として生成する領域分割部を有することにより、上記課題を解決する。【選択図】図１
2012071042.tif 000002
【特許請求の範囲】
【請求項１】
超音波を被検体に送信して反射波を受信し超音波検出信号を出力する超音波探触子を有し、着目領域の局所音速値を求める超音波画像診断装置であって、
前記局所音速値と、予め設定された組織固有の音速の特徴である特徴情報とに基づいて、前記着目領域を２以上の分割領域に分割し、分割した前記着目領域の情報を領域情報として生成する領域分割部を有することを特徴とする超音波画像診断装置。
【請求項２】
前記領域分割部は、前記局所音速値と前記特徴情報とに基づいて、前記着目領域を２以上の分割領域に分割し、それぞれの前記分割領域が該当する組織を決定することを特徴とする請求項１に記載の超音波画像診断装置。
【請求項３】
さらに、前記領域情報および前記局所音速値に基づいて、前記局所音速値の分布の特徴を表す組織性状情報を、１以上の前記分割領域について生成する組織性状情報生成部を有することを特徴とする請求項１または２に記載の超音波画像診断装置。
【請求項４】
さらに、前記組織性状情報に基づいて、前記分割領域のそれぞれにおける、病変の種類、および病変の程度のうち１以上を含む診断情報を生成する診断情報生成部を有することを特徴とする請求項３に記載の超音波画像診断装置。
【請求項５】
前記分割領域のうち、一方の前記組織性状情報は、さらに、他方の前記組織性状情報が反映された情報であることを特徴とする請求項３または４に記載の超音波画像診断装置。
【請求項６】
前記組織性状情報は、さらに、ユーザが設定した情報が反映された情報であることを特徴とする請求項３〜５のいずれかに記載の超音波画像診断装置。
【請求項７】
前記組織性状情報は、さらに、前記分割領域の組織の情報を反映して生成することを特徴とする請求項３〜６のいずれかに記載の超音波画像診断装置。
【請求項８】
前記組織性状情報は、再度、前記診断情報を反映して生成することを特徴とする請求項３〜７のいずれかに記載の超音波画像診断装置。
【請求項９】
超音波を被検体に送信して反射波を受信し、着目領域の局所音速値を求める超音波画像生成方法であって、
前記局所音速値と、予め設定された組織固有の音速の特徴である特徴情報とに基づいて、前記着目領域を２以上の分割領域に分割し、分割した前記着目領域の情報を領域情報として生成する領域分割ステップを有することを特徴とする超音波画像生成方法。
【請求項１０】
請求項９に記載の超音波画像生成方法の各ステップを手順としてコンピュータに実行させるためのプログラム。
【発明の詳細な説明】
【技術分野】
【０００１】
本発明は、超音波を被検体に送信して反射波を受信し、画像を表示する超音波画像診断装置、超音波画像生成方法およびプログラムに関し、詳しくは、音速値および組織固有の音速の特徴に基づいて複数の領域に分割し、それぞれの分割領域について、組織性状情報を求めて表示する超音波画像診断装置、超音波画像生成方法およびプログラムに関するものである。
【背景技術】
【０００２】
従来から、超音波画像の形態画像の１つとして、形状を表すＢモード画像（超音波エコーの振幅を点の輝度により表した画像）が用いられている。しかし、形状以外の情報も診断に用いたいとの要望があり、そのうちの１つとして音速が挙げられる。
音速は、医師が超音波診断を行うにあたり、生体組織、病変およびその進行度等を診断するために有効な音響情報であることから、種々の計測手法によって被検体の音速を計測することが提案されている。また、被検体内の一部における音速値（以下、局所音速値という）を測定する試みもなされている。
【０００３】
例えば、特許文献１には、複数の送信用および受信用超音波トランスデューサを用いて、これらの角度および間隔を変えることで、超音波ビームの交差領域（関心領域）を生体内の深さ方向に移動させ、また、生体の体表に沿う方向にも交差領域を移動させて局所音速値を求めることにより、生体内の局所音速値の２次元分布を求めることが提案されている。
【０００４】
特許文献２には、仮想音速分布に基づき、送波振動子と受波振動子とのそれぞれについて照射角度および入射角度を変化させて音線経路を設定し、測定された実際の経過時間と、設定した音線経路の所要時間との誤差データを求め、誤差データを最小にするように音線分布を修正し、修正された音線分布により音速を求めることが提案されている。
【０００５】
特許文献３には、ホイヘンスの原理を用いて、被検体内の着目領域よりも浅い領域に設定された格子点と、着目領域における最適音速値を判定し、着目領域における最適音速値に基づいて、超音波を着目領域に送信したときに着目領域から受信される受信波を演算し、着目領域における仮定音速を仮定して、仮定音速に基づいて各格子点における最適音速値から求めた各格子点からの受信波を合成して合成受信波を得て、受信波と合成受信波に基づいて着目領域における局所音速値を判定する超音波診断装置が開示されている。
【先行技術文献】
【特許文献】
【０００６】
【特許文献１】特開昭６２−２５４７４０号公報
【特許文献２】特開平５−９５９４６号公報
【特許文献３】特開２０１０−９９４５２号公報
【発明の概要】
【発明が解決しようとする課題】
【０００７】
しかしながら、特許文献１〜３では、被検体の局所的な音速分布情報は得られるが、得られた音速分布情報を医師が見やすいように、つまり、診断に活用できる情報として、どのように提示するかについては開示されていない。
【０００８】
本発明の目的は、局所音速値と予め設定された組織固有の音速の特徴である特徴情報とに基づいて着目領域を分割し、分割された各分割領域の組織の種類を求め、さらに、局所音速値の分布の特徴を表す組織性状情報を求めることで、局所音速値のみでは得られない各組織の様々な性状情報等を医師に提供し、その診断に資する超音波画像診断装置、超音波画像生成方法およびプログラムを提供することにある。
【課題を解決するための手段】
【０００９】
上記課題を解決するために、本発明は、超音波を被検体に送信して反射波を受信し超音波検出信号を出力する超音波探触子を有し、着目領域の局所音速値を求める超音波画像診断装置であって、前記局所音速値と、予め設定された組織固有の音速の特徴である特徴情報とに基づいて、前記着目領域を２以上の分割領域に分割し、分割した前記着目領域の情報を領域情報として生成する領域分割部を有することを特徴とする超音波画像診断装置を提供する。
【００１０】
また、前記領域分割部は、前記局所音速値と前記特徴情報とに基づいて、前記着目領域を２以上の分割領域に分割し、それぞれの前記分割領域が該当する組織を決定することが好ましい。
【００１１】
さらに、前記領域情報および前記局所音速値に基づいて、前記局所音速値の分布の特徴を表す組織性状情報を、１以上の前記分割領域について生成する組織性状情報生成部を有することが好ましい。
さらに、前記組織性状情報に基づいて、前記分割領域のそれぞれにおける、病変の種類、および病変の程度のうち１以上を含む診断情報を生成する診断情報生成部を有することが好ましい。
【００１２】
また、前記分割領域のうち、一方の前記組織性状情報は、さらに、他方の前記組織性状情報が反映された情報であることが好ましい。
また、前記組織性状情報は、さらに、ユーザが設定した情報が反映された情報であることが好ましい。
【００１３】
また、前記組織性状情報は、さらに、前記分割領域の組織の情報を反映して生成することが好ましい。
また、前記組織性状情報は、再度、前記診断情報を反映して生成することが好ましい。
【００１４】
また、上記課題を解決するために、本発明は、超音波を被検体に送信して反射波を受信し、着目領域の局所音速値を求める超音波画像生成方法であって、前記局所音速値と、予め設定された組織固有の音速の特徴である特徴情報とに基づいて、前記着目領域を２以上の分割領域に分割し、分割した前記着目領域の情報を領域情報として生成する領域分割ステップを有することを特徴とする超音波画像生成方法を提供する。
【００１５】
また、上記課題を解決するために、本発明は、上記に記載の超音波画像生成方法の各ステップを手順としてコンピュータに実行させるためのプログラムを提供する。
【発明の効果】
【００１６】
本発明によれば、分割された各領域について局所音速値だけでなく、分割された各領域の組織の種類を表す領域組織情報、および局所音速値の分布の特徴を表す組織性状情報を求めることができ、さらに病変の種類、および病変の程度といった医師の診断に資する診断情報も提供することができる。
【図面の簡単な説明】
【００１７】
【図１】本発明に係る超音波画像生成方法を実施する、超音波画像診断装置の一実施形態の構成の一例を示すブロック図である。
【図２】本発明に係る局所音速値の演算処理を模式的に示す説明図である。
【図３】（ａ），（ｂ）は、設定音速プロファイルの一例を示すグラフである。
【図４】本発明に係る一実施形態の超音波画像生成方法の処理の流れの一例を示すフローチャートである。
【図５】図４に示すフローチャートの、続きを示すフローチャートである。
【図６】環境音速値を決定する処理の流れの一例を示すフローチャートである。
【図７】本発明に係る局所音速値の演算処理の一例を示すフローチャートである。
【図８】着目領域の設定の一例を示す説明図である。
【図９】領域分割の一例を示す説明図である。
【図１０】音速画像の各分割領域に、組織名称が重畳表示された表示の一例を示す説明図である。
【図１１】音速画像の各分割領域に、組織名称および組織性状情報が重畳表示された表示の一例を示す説明図である。
【図１２】音速画像の各分割領域に、組織名称、組織性状情報、および診断情報（病変，進行度）が重畳表示された表示の一例を示す説明図である。
【発明を実施するための形態】
【００１８】
本発明に係る超音波画像生成方法を実施する本発明に係る超音波画像診断装置を、添付の図面に示す好適実施形態に基づいて以下に詳細に説明する。なお、着目領域の指定方法は特に限定されないが、以下の説明では一例として、Ｂモード画像上で着目領域が指定され、また、当該Ｂモード画像の着目領域における各画素に対応して局所音速値を算出する場合について説明する。
【００１９】
図１は、本発明に係る超音波画像診断装置の構成を表す一実施形態のブロック図である。
図１に示す超音波画像診断装置１０は、操作部１２、制御部１４、超音波探触子１６、送受信部２０、信号処理部２２、音速値算出部２４、音速画像生成部２６、領域分割部２７、組織性状情報生成部３４、診断情報生成部３６、画像処理部３８、表示部４０、およびＲＦデータ記録再生部４２によって構成される。
【００２０】
また、音速値算出部２４は、環境音速値算出部４４と、局所音速値算出部４６とによって構成される。環境音速値算出部４４は、フォーカス指標算出部４８、環境音速プロファイル生成部５０、および環境音速値決定部５２によって構成され、局所音速値算出部４６は、仮想受信波・仮想合成受信波誤差算出部５４、誤差プロファイル生成部５６、および局所音速値決定部５８によって構成される。
また、領域分割部２７は、画素組織決定部２８、着目領域分割部３０、分割領域組織決定部３２によって構成される。
【００２１】
操作部１２は、超音波画像診断装置１０の各種操作をオペレータが行うためのものであり、操作情報を出力する。操作部１２の具体的な態様には特に限定はなく、キーボード、マウス、タッチパネルなど、公知の各種の操作機器を用いればよい。
【００２２】
制御部１４は、超音波画像診断装置１０の各部の動作を制御するためのものである。また、操作情報に従って各種処理が実施されるように、各部に対して制御信号（ＣＴＬ）が出力される。また、環境音速値を求めるための設定音速または受信遅延パターンを、後述する送受信部２０に設定する。
【００２３】
超音波探触子１６は、被検体に当接させて用いるプローブであり、１次元または２次元のトランスデューサアレイを構成する複数の超音波トランスデューサ１８を備えている。超音波トランスデューサ１８では、送受信部２０から印加される駆動信号に基づいて超音波ビームが被検体に送信されると共に、被検体から反射される超音波エコーが受信されて検出信号が出力される。
【００２４】
超音波トランスデューサ１８は、圧電性を有する材料（圧電体）の両端に電極が形成されて構成された振動子を含んでいる。上記振動子を構成する圧電体としては、例えば、ＰＺＴ（チタン酸ジルコン酸鉛：Pb (lead) zirconate titanate）のような圧電セラミック、ＰＶＤＦ（ポリフッ化ビニリデン：polyvinylidene difluoride）のような高分子圧電素子を用いることができる。上記振動子の電極に電気信号を送って電圧を印加すると圧電体が伸縮し、この圧電体の伸縮により各振動子において超音波が発生する。例えば、振動子の電極にパルス状の電気信号を送るとパルス状の超音波が発生し、振動子の電極に連続波の電気信号を送ると連続波の超音波が発生する。そして、各振動子において発生した超音波が合成されて超音波ビームが形成される。また、各振動子により超音波が受信されると、各振動子の圧電体が伸縮して電気信号を発生する。各振動子において発生した電気信号は、超音波の検出信号として送受信部２０に出力される。
【００２５】
なお、超音波トランスデューサ１８としては、超音波変換方式の異なる複数種類の素子を用いることも可能である。例えば、超音波を送信する素子として上記圧電体により構成される振動子を用いて、超音波を受信する素子として光検出方式の超音波トランスデューサを用いるようにしてもよい。ここで、光検出方式の超音波トランスデューサとは、超音波信号を光信号に変換して検出するものであり、例えば、ファブリーペロー共振器又はファイバブラッググレーティングである。
【００２６】
送受信部２０は、送信回路、受信回路、およびＡ／Ｄ変換器を備えている。
送信回路は、制御部１４からの制御信号に応じて駆動信号を生成して、該駆動信号を超音波トランスデューサ１８に印加する。このとき、送信回路は、制御部１４によって選択された送信遅延パターンに基づいて、各超音波トランスデューサ１８に印加する駆動信号を遅延させる。ここで、送信回路は、複数の超音波トランスデューサ１８から送信される超音波が超音波ビームを形成するように、各超音波トランスデューサ１８に駆動信号を印加するタイミングを調整する（遅延させる）。なお、複数の超音波トランスデューサ１８から一度に送信される超音波が被検体の撮像領域全体に届くように、駆動信号を印加するタイミングを調節するようにしてもよい。
【００２７】
受信回路は、各超音波トランスデューサ１８から出力される超音波検出信号を受信して増幅する。各超音波トランスデューサ１８と被検体内の超音波反射源との間の距離がそれぞれ異なるため、各超音波トランスデューサ１８に反射波が到達する時間は異なる。受信回路は遅延回路を備えており、制御部１４によって選択された音速（以下、仮定音速という。）または音速の分布に基づいて設定される受信遅延パターンに従って、反射波の到達時刻の差（遅延時間）に相当する分、各検出信号を遅延させる。
次に、受信回路は、遅延時間を与えた検出信号を整合加算することにより受信フォーカス処理を行う。超音波反射源Ｘと異なる位置に別の超音波反射源がある場合には、別の超音波反射源からの超音波検出信号は到達時刻が異なるので、加算回路で加算することにより、別の超音波反射源からの超音波検出信号の位相が打ち消し合う。これにより、超音波反射源Ｘからの受信信号が最も大きくなり、フォーカスが合う。この受信フォーカス処理によって、超音波エコーの焦点が絞り込まれた音線信号（以下、ＲＦ信号という。）が形成される。
【００２８】
Ａ／Ｄ変換器では、受信回路から出力されるアナログのＲＦ信号がデジタルＲＦ信号（以下、ＲＦデータという。）に変換され出力される。ここで、ＲＦデータには、受信波（搬送波）の位相情報が含まれている。
【００２９】
信号処理部２２では、ＲＦデータに対して、ＳＴＣ（Sensitivity Time gain Control）によって、超音波の反射位置の深度に応じて距離による減衰の補正がされた後、包絡線検波処理が施され、Ｂモード画像データが生成され出力される。
【００３０】
音速値算出部２４では、局所音速値を得たい領域について、着目領域が指定され、着目領域指定情報が出力される。着目領域は、例えば、Ｂモード画像上で指定されることができ、Ｂモード画像全体が初期設定にて自動的に設定されるようにしてもよい。
【００３１】
フォーカス指標算出部４８には、設定音速ごとのＢモード画像データおよびＲＦデータが入力され、Ｂモード画像の画素ごとに、環境音速値を求めるために必要な設定音速ごとのフォーカス指標が算出される。ある設定音速についてフォーカス指標が算出されると、設定音速を変更してフォーカス指標が算出される。つまり、全ての設定音速についてフォーカス指標が算出され出力される。フォーカス指標としては、例えば、Ｂモード画像データからは画像のコントラスト、シャープネス、あるいは各画素における超音波検出信号の周期または振幅が用いられ、ＲＦデータからはビーム幅（半値幅）が用いられる。
【００３２】
環境音速プロファイル生成部５０には、Ｂモード画像の画素ごとに全ての設定音速についてのフォーカス指標が入力される。入力されたフォーカス指標は、横軸を設定音速、縦軸をフォーカス指標としたグラフにプロットされ、設定音速プロファイル（以下、環境音速プロファイルという）が生成され出力される。
【００３３】
環境音速値決定部５２には、Ｂモード画像の画素ごとに求められた環境音速プロファイルが入力される。入力された環境音速プロファイルに基づき、各画素の最適音速値（以下、環境音速値という）が決定され出力される。ここで、最適音速値（環境音速値）とは、画像のコントラスト、シャープネスが最も高くなる音速値、およびビーム幅が最も狭くなる音速値であり、各画素における実際の音速値（局所音速値）とは必ずしも一致しない。
なお、環境音速値を求める方法は、他にも、例えば画像のコントラスト、スキャン方向の空間周波数、分散などから判定する方法（例えば、特開平８−３１７９２６号公報）を用いてもよい。
【００３４】
仮想受信波・仮想合成受信波誤差算出部５４には、Ｂモード画像データおよび環境音速値が入力され、Ｂモード画像の画素ごとに、局所音速値を求めるために必要な仮の局所音速ごとの、仮想受信波と仮想合成受信波との誤差が算出される。つまり、全ての仮の局所音速について仮想受信波と仮想合成受信波との誤差が算出され出力される。
【００３５】
誤差プロファイル生成部５６には、Ｂモード画像の画素ごとに全ての仮の局所音速について、仮想受信波と仮想合成受信波との誤差が入力される。入力された仮想受信波と仮想合成受信波との誤差は、横軸を仮の局所音速、縦軸を仮想受信波と仮想合成受信波との誤差としたグラフにプロットされ、誤差プロファイルが生成され出力される。
【００３６】
局所音速値決定部５８には、Ｂモード画像の画素ごとに求められた誤差プロファイルが入力される。入力された誤差プロファイルに基づき、画素ごとの局所音速値が決定され出力される。
【００３７】
ここで、局所音速値の演算処理について説明する。
図２は、局所音速値の演算処理を模式的に示す図である。
【００３８】
図２（ｂ）に示すように、被検体ＯＢＪ内の着目領域ＲＯＩを代表する格子点をＸＲＯＩ、格子点ＸＲＯＩよりも浅い（即ち、超音波トランスデューサ１８に近い）位置にＸＹ方向に等間隔で配置された格子点をＡ１，Ａ２，…とし、少なくとも格子点ＸＲＯＩと各格子点Ａ１，Ａ２，…との間の音速はそれぞれ一定と仮定する。
【００３９】
本例では、格子点Ａ１，Ａ２，…からの受信波（それぞれＷＡ１，ＷＡ２，…）の（Ｔ及び遅延時間ΔＴ）が既知として、格子点ＸＲＯＩと格子点Ａ１，Ａ２，…の位置関係から格子点ＸＲＯＩにおける局所音速値を求める。具体的には、ホイヘンスの原理により、格子点ＸＲＯＩからの受信波ＷＸと格子点Ａ１，Ａ２，…からの受信波を仮想的に合成した受信波ＷＳＵＭが一致することを利用する。受信波ＷＸと仮想合成受信波ＷＳＵＭとの差が最小になる仮定音速の値を、格子点ＸＲＯＩにおける局所音速値とする。
【００４０】
ここで、格子点ＸＲＯＩにおける局所音速値を求めるときの演算に使用する格子点Ａ１，Ａ２，…の範囲及び個数は予め決めておく。ここで、局所音速値演算に使用する格子点の範囲が広いと局所音速値の誤差が大きくなり、狭いと仮想受信波との誤差が大きくなるため、格子点の範囲はこれらの兼ね合いで決める。
【００４１】
格子点Ａ１，Ａ２，…のＸ方向の間隔は、分解能と処理時間の兼ね合いで決定される。格子点Ａ１，Ａ２，…のＸ方向の間隔は、一例で１ｍｍから１ｃｍである。
【００４２】
格子点Ａ１，Ａ２，…のＹ方向の間隔が狭いと誤差計算における誤差が大きくなり、広いと局所音速値の誤差が大きくなる。格子点Ａ１，Ａ２，…のＹ方向の間隔は、超音波画像の画像分解能の設定に基づいて決定される。格子点Ａ１，Ａ２，…のＹ方向の間隔は、一例で１ｃｍである。
【００４３】
なお、格子点Ａ１，Ａ２，…の間隔が広い場合、合成波の演算が困難になるため、補間によって細かい格子点を生成するようにすればよい。
【００４４】
音速画像生成部２６には、着目領域（Ｂモード画像）の画素ごとに求められた局所音速値、および後述する組織性状情報が入力される。音速画像生成部２６では、局所音速値に対応した値、例えば、各画素の音速値（通常の音速画像）、着目領域全体または分割領域の音速の平均値あるいは最小値との差分（差分音速画像）、および、分散によって規格化された音速値（分散音速画像）が、Ｂモード画像の各画素に割り当てられて音速画像が生成され、音速画像データとして出力される。なお、音速画像生成部２６に診断情報が入力され、診断情報に基づく音速の平均値との差分を用いてもよいし、局所音速値に対応した値を階調表現しやすいように再度調整を行ってもよい。また、別途設定された基準領域における局所音速値の平均値、オペレータにより設定された局所音速値の平均値、または診断情報に基づく局所音速値の平均値との差分の分布の画像（差分音速画像）としてもよい。
【００４５】
画素組織決定部２８には、着目領域全体の局所音速値が入力される。画素組織決定部２８では、局所音速値と予め設定された組織固有の音速の特徴である特徴情報とに基づいて、着目領域全体について画素ごとに属する組織が決定され、画素組織情報として出力される。例えば、ある注目画素を中心とした所定範囲に含まれる画素の、局所音速値の分布から特徴量（例えば、局所音速値の平均値）を求め、当該特徴量と特徴情報とを比較することで、注目画素の属する組織が決定される。なお、特徴情報は、予め統計的手法等により、音速分布の特徴量を求めてテーブル等で表したものを用いることができる。
【００４６】
ここで、注目画素の特徴量は１種類に限られず、複数の特徴量を用いてもよい。例えば、複数の特徴量から重回帰式により１つの指標を算出し、当該指標に基づいて注目画素が属する組織を決定してもよい。複数の特徴量としては、例えば、局所音速値の平均値、分散、平均値への集中程度、ヒストグラムの歪度または尖度、空間周波数の平均、および、空間周波数の分散または帯域などが挙げられる。また、同時生起行列などによるテクスチャ特徴量、例えば、一様性、コントラスト、相関、およびエントロピー等を用いても良い。なお、特徴情報も同様の特徴量を用いてもよい。
【００４７】
他にも、対象部位および走査法が決まっていれば、各組織の標準的な配置も決まってくるため、注目画素の特徴量だけでなく、注目画素の位置によって各組織に属する確率を求め、当該確率も反映して注目画素の属する組織が決定されるようにしてもよい。
また、注目画素の属する組織が、周囲の画素の属する組織と異なる場合、最も特徴の近い組織に決定されることで飛び地が発生することを防止してもよい。もしくは、各領域の大まかな境界が判別できればよい場合には、解像度を落とす等して目立たなくしてもよいし、詳細な画像が必要な場合には、異常の可能性もあるため、決定された組織をそのまま表示してもよい。
【００４８】
着目領域分割部３０には、音速画像データ、画素組織情報、および着目領域指定情報が入力される。着目領域分割部３０では、画素組織情報に基づき、隣接する画素と組織が同一である画素は、同一の分割領域に属するように、着目領域が２以上の分割領域に分割され、分割されたそれぞれの分割領域の境界線、分割数、および、各画素がどの分割領域に属するかを示す属性等の情報を含む着目領域の情報が、着目領域情報として生成され出力される。
【００４９】
分割領域組織決定部３２には、画素組織情報、および着目領域情報が入力される。分割領域組織決定部３２では、それぞれの分割領域の組織が、画素組織情報（当該分割領域に属する画素の組織）に基づいて決定され、領域組織情報として着目領域情報に付加されて領域情報として出力される。
【００５０】
組織性状情報生成部３４には、着目領域全体の局所音速値、領域情報、および後述する診断情報が入力される。組織性状情報生成部３４は、各画素の局所音速値、および属する分割領域に基づいて、組織性状情報を生成する。組織性状情報は、局所音速値の分布の特徴を表す情報であり、例えば、分割領域における、各画素の局所音速値の平均値、分散、平均値への集中程度、ヒストグラムの歪度または尖度、空間周波数の平均、および、空間周波数の分散または帯域などの特徴量である。また、同時生起行列などによるテクスチャ特徴量、例えば、一様性、コントラスト、相関、およびエントロピー等を用いても良いし、上記で生成された画素組織情報を用いてもよい。なお、組織性状情報は、画素組織決定部２８で求められる特徴量とは別途生成される。
【００５１】
さらに、一方の分割領域と他方の分割領域とにおいて、組織性状情報の差分を取ってもよい。このとき、基準とする領域は分割領域の位置に基づいて設定してもよいし、組織性状情報に基づいて設定してもよい。例えば、肝臓の局所音速値の平均値と、皮下脂肪の局所音速値の平均値とについて差分を取得したい場合、皮下脂肪は皮膚の直下にあり、他の組織と比較して音速の平均値が低いため、最も浅い分割領域、または音速の平均値が最も低い分割領域を皮下脂肪と判定して、基準領域と設定してもよい。もしくは、差分を取る代わりに複数の他の分割領域との間でテーブルを用いてもよい。他にも、オペレータによって基準領域が設定されてもよいし、領域の位置関係を基に基準領域が設定されてもよい。
【００５２】
また、診断情報が入力される場合、つまり、一度生成された組織性状情報に対して、診断情報がフィードバックされる場合、診断情報を反映して再度組織性状情報が生成される。例えば、一方の分割領域の診断情報を他方の分割領域の組織性状情報の生成に用いる場合や、診断情報が反映された組織性状情報を生成する場合が挙げられる。
【００５３】
診断情報生成部３６には、組織性状情報が入力される。診断情報生成部３６では、組織性状情報に基づき、脂肪肝や肝硬変等の病変種類、および肝硬変の進行度（Ｆ０〜Ｆ４）等の情報が、診断情報として生成され出力される。
【００５４】
画像処理部３８には、Ｂモード画像データ、音速画像データ、領域情報、組織性状情報、および診断情報が入力される。画像処理部３８は、ＤＳＣ（Digital Scan Converter）機能、ならびに、各種画像データ（Ｂモード画像データ、および音速画像データ）と各種情報（領域情報、組織性状情報、および診断情報）との重畳（オーバーレイ）表示、強調表示、およびマスク処理等の画像処理機能を有する。画像処理部３８からは、ＤＳＣおよび画像処理が行われた表示画像データが出力される。なお、重畳表示等に用いるＢモード画像データは、画像全体のフォーカスが最も良好な設定音速におけるデータを用いるのがよい。
【００５５】
ＤＳＣ機能では、Ｂモード画像データおよび音速画像データが、通常のテレビジョン信号の走査方式と異なる走査方式であるため、後述する表示部４０に表示可能なように、通常の画像データ（例えば、テレビジョン信号の走査方式（ＮＴＳＣ方式）の画像データ）への変換（ラスター変換）が行われる。
【００５６】
画像処理機能では、例えば、Ｂモード画像データ、音速画像データ、および各種情報の重畳表示画像が生成される。各分割領域についての領域組織情報、組織性状情報、および／または診断情報を、Ｂモード画像または音速画像と重畳表示することで、医師の診断を補助する表示画像が生成される。例えば、音速画像上の各分割領域に、局所音速値の平均値、および／または組織の名称（肝臓、腎臓、脂肪等：領域組織情報）を表示したり、領域組織情報と、局所音速値の平均値が肝硬変の音速値の範囲であるという診断情報とから、当該分割領域に肝硬変の進行度を表す記号（Ｆ０〜Ｆ４）の表示、あるいは彩色を施す等の表示が行われた表示画像が生成される。
【００５７】
表示部４０には、表示画像データが入力され表示される。表示部４０は、液晶、プラズマ、有機ＥＬ（Electro Luminescence）等のＦＰＤ（Flat Panel Display）、またはＣＲＴ（Cathode Ray Tube）等により構成される。表示部４０は、複数の画像を並べて表示可能なように、表示面積が大きいもの、および画素数の多いものを用いるのがよい。
【００５８】
ＲＦデータ記録再生部４２には、ＲＦデータ、フレームレートに関する情報（例えば、超音波の反射位置の深度、走査線の密度、視野幅を示すパラメータ）が入力され、内部のシネメモリに記録される。ＲＦデータ記録再生部４２は、シネメモリ記録モードとシネメモリ再生モードの２つの動作モードを持ち、通常観察時（ライブモード）にはシネメモリ記録モードとして動作し、ＲＦデータが記録されている。
【００５９】
シネメモリ再生モードは、シネメモリに格納されているＲＦデータに基づいて超音波診断画像の表示、解析・計測を行うモードである。シネメモリ再生モード時には、シネメモリに格納されているＲＦデータが、オペレータの操作に応じて、信号処理部２２へと出力され、オペレータはＲＦデータ記録再生部４２に記録されたＲＦデータに基づく、Ｂモード画像、音速画像、領域組織情報、組織性状情報、および診断情報を見ることができる。
【００６０】
次に、本発明に係る超音波画像生成方法を実現する、本発明に係る超音波画像診断装置１０の動作を説明する。
【００６１】
図４および図５は、本発明に係る超音波画像診断装置の処理の流れの一例を示すフローチャートである。
初めに、オペレータにより領域情報、および組織性状情報等を取得したい部位（対象部位）が選択される。対象部位が選択されると、当該対象部位に含まれる組織、および当該組織固有の音速の特徴が、特徴情報として設定される（ステップＳ６）。また、同じ部位であっても走査法が異なると観察される組織や断面が異なる、つまり、固有の音速の特徴が異なるため、例えば、右肋骨弓下走査、正中縦断走査等の走査法も選択されるようにしてもよい。
【００６２】
次に、環境音速値を求めるための設定音速が制御部１４によって複数選択され、送受信部２０に対して設定される（ステップＳ８）。ここで、設定音速は人体内の音速の範囲（概ね、１４００ｍ／ｓ〜１６５０ｍ／ｓ）の中から、複数の音速が選択され設定される。選択される音速の数（Ｌ）は、横軸を設定音速、縦軸をフォーカス指標としたグラフにプロットしたときに、図３（ａ），（ｂ）に示すようなグラフが描ける程度であればよい。なお、オペレータによって設定音速が設定されるようにしてもよい。
【００６３】
続いて、オペレータが超音波探触子１６を被検体に接触させて超音波の送受信が行われ、超音波検出信号が超音波探触子１６から出力される（ステップＳ１０）。超音波検出信号は送受信部２０に入力され、選択された複数の設定音速に対応する受信遅延パターンに基づき、それぞれの設定音速ごとに受信フォーカス処理または送受信フォーカス処理が行われ、Ａ／Ｄ（Analog／Digital）変換されて、設定音速ごとのＲＦデータとして出力される（ステップＳ１２）。
【００６４】
設定音速ごとのＲＦデータは、信号処理部２２に入力され、ＳＴＣにより超音波の反射位置の深度に応じて距離による減衰の補正がされた後、包絡線検波処理が施され、図８に示すようなＢモード画像のＢモード画像データが設定音速ごとに生成され出力される（ステップＳ１４）。
【００６５】
全ての設定音速ごとのＢモード画像データおよびＲＦデータは、音速値算出部２４に入力される。音速値算出部２４では、Ｂモード画像のうち局所音速値を得たい領域について着目領域として指定される（ステップＳ１６）。着目領域は、例えば、図８に示す着目領域６０のように、Ｂモード画像全体が初期設定にて自動的に指定されるようにしてもよいし、Ｂモード画像の一部が自動的に着目領域として設定されてもよい。また、オペレータが操作部１２を操作することによりＢモード画像の一部が指定されてもよい。着目領域は、例えば、始点座標［ｘｍｉｎ，ｙｍｉｎ］、および終点座標［ｘｍａｘ，ｙｍａｘ］で設定される。図４のフローチャートでは、例としてｘがｎ〜Ｎ，ｙがｍ〜Ｍと設定される。
着目領域が設定されると、環境音速値の算出を開始する開始着目画素（例えば、ｘ＝ｎ，ｙ＝ｍ）が設定され（ステップＳ１８）、着目画素の環境音速値の算出が行われる（ステップＳ２０）。
【００６６】
ここで、着目画素の環境音速値の算出の詳細を、図６のフローチャートにより説明する。
まず、ステップＳ８で設定された環境音速値を求めるための選択される音速の数（設定音速の個数）が、初期値Ｃｉ＝１，最大値Ｃｍａｘ＝Ｌに設定される（ステップＳ２０２）。
【００６７】
次に、設定音速Ｃｉのフォーカス指標が算出され出力される（ステップＳ２０４）。フォーカス指標値としては、例えば、Ｂモード画像データのコントラスト、シャープネスの値が算出され出力される。なお、着目画素のＲＦデータのビーム幅から、所定の指数が算出されてフォーカス指標として出力されてもよい。
【００６８】
Ｃｉ＝１（初期値）についてフォーカス指標の算出が終了すると、ＣｉとＣｍａｘ（最大値）の値が比較され（ステップＳ２０６）、Ｃｉの値がＣｍａｘ未満であるときは（ステップＳ２０６で“Ｎ”）、Ｃｉに１が足されて（ステップＳ２０８）、ステップＳ２０４のフォーカス指標の算出に戻る。フォーカス指標の算出（ステップＳ２０４）は、Ｃｉ＝Ｃｍａｘとなるまで繰り返され、着目画素の全ての設定音速についてフォーカス指標が算出され出力される。
【００６９】
着目画素の全ての設定音速についてのフォーカス指標は、環境音速プロファイル生成部５０に入力され、横軸を設定音速、縦軸をフォーカス指標としたグラフにプロットされ、環境音速プロファイルが生成され出力される（ステップＳ２１０）。
【００７０】
環境音速プロファイルは、環境音速値決定部５２に入力され、例えば、図３（ａ）に示すような環境音速プロファイルであれば、フォーカス指標の最大値の設定音速値が環境音速値として決定され出力される（ステップＳ２１２）。
【００７１】
着目画素の環境音速値の算出が終了すると、つまりステップＳ２０が終了すると、着目画素のｙ座標の値がｙｍａｘと比較され（ステップＳ２２）、ｙの値がｙｍａｘ未満であるときは（ステップＳ２２で“Ｎ”）、ｙに１が足されて（ステップＳ２４）、ステップＳ２０の着目画素の環境音速値の算出に戻る。着目画素の環境音速値の算出（ステップＳ２０）は、ｙ＝ｙｍａｘとなるまで繰り返される。
【００７２】
ｙ＝ｙｍａｘとなると（ステップＳ２２で“Ｙ”）、着目画素のｘ座標の値がｘｍａｘと比較され（ステップＳ２６）、ｘの値がｘｍａｘ未満であるときは（ステップＳ２６で“Ｎ”）、ｘに１が足されて（ステップＳ２８）、ｙ座標の値がｙｍｉｎ（ｙ＝ｍ）に設定され（ステップＳ３０）、ステップＳ２０の着目画素の環境音速値の算出に戻る。つまり、ｙ座標方向をラインとすると、ｘ座標がｎである１ライン目の環境音速値が算出されると、ｘ座標が１だけインクリメントされ（ｎ＋１）、２ライン目の環境音速値が算出される。着目画素の環境音速値の算出（ステップＳ２０）は、着目領域全体について（ｘ＝ｘｍａｘ（ｘ＝Ｎ），ｙ＝ｙｍａｘ（ｙ＝Ｍ）まで）、環境音速値が算出されるまで繰り返される。
着目領域全体について環境音速値が算出されると、環境音速値算出部４４から着目領域全体の環境音速値が出力される。
【００７３】
着目領域全体の環境音速値は、局所音速値算出部４６に入力される。局所音速値算出部４６では、局所音速値の算出を開始する開始着目画素（例えば、ｘ＝ｎ，ｙ＝ｍ）が設定され（ステップＳ３２）、着目画素の局所音速値の算出が行われる（ステップＳ３４）。
【００７４】
ここで、着目画素の局所音速値の算出の詳細を、図７のフローチャートにより説明する。
まず、格子点ＸＲＯＩにおける環境音速値に基づいて、格子点ＸＲＯＩを反射点とした時の仮想的な受信波ＷＸの波形が算出される（ステップＳ３０２）。
【００７５】
次に、格子点ＸＲＯＩにおける仮定音速の初期値が設定される（ステップＳ３０４）。そして、仮定音速が１ステップ変更されて（ステップＳ３０６）、仮想的な合成受信波ＷＳＵＭが算出される（ステップＳ３０８）。格子点ＸＲＯＩにおける局所音速値をＶと仮定すると、格子点ＸＲＯＩから伝播した超音波が格子点Ａ１，Ａ２，…に到達するまでの時間はＸＲＯＩＡ１／Ｖ，ＸＲＯＩＡ２／Ｖ，…となる。ここで、ＸＲＯＩＡ１，ＸＲＯＩＡ２，…は、それぞれ格子点Ａ１，Ａ２，…と格子点ＸＲＯＩとの間の距離である。格子点Ａ１，Ａ２，…における環境音速値は図４のステップＳ２６までにより既知のため、各格子点Ａ１，Ａ２，…からの受信波は予め求めることができる。従って、格子点Ａ１，Ａ２，…からそれぞれ遅延ＸＲＯＩＡ１／Ｖ，ＸＲＯＩＡ２／Ｖ，…で発した反射波（超音波エコー）を合成することにより、仮想合成受信波ＷＳＵＭを求めることができる。
【００７６】
なお、実際には、素子データ（ＲＦ信号）上で上記処理を行うため、格子点ＸＲＯＩから格子点Ａ１，Ａ２，…に到達するまでの時間（それぞれＴ１，Ｔ２，…）は下記の式（１）により表される。ここで、ＸＡ１，ＸＡ２，…は、それぞれ格子点Ａ１，Ａ２，…と格子点Ｘとの間のスキャン方向（Ｘ方向）の距離である。また、Δｔは格子点のＹ方向時間間隔である。
【００７７】
【数１】
2012071042.tif 000003
【００７８】
上記Ｔ１，Ｔ２，…に、格子点ＸＲＯＩと同音線の格子点Ａｎから格子点ＸＲＯＩに到達するまでの時間（Δt／２）を足した遅延で各格子点Ａ１，Ａ２，…からの受信波を合成することにより、仮想合成受信波ＷＳＵＭを求めることができる。
【００７９】
ここで、格子点をＹ方向に時間軸で等間隔（Δｔ）に設定する場合、空間上での間隔は必ずしも等間隔にはならない。従って、各格子点に超音波が到達するまでの時間を計算するときに、式（１）においてΔｔ／２の代わりに補正したΔｔ／２を用いてもよい。ここで、補正したΔｔ／２は、例えば、格子点ＸＲＯＩと同音線の格子点Ａｎに比べたＡ１，Ａ２，…の深さ（Ｙ方向の距離）の差をＶで除算した値をΔｔ／２から加算・減算した値である。各格子点Ａ１，Ａ２，…の深さはそれより浅い格子点において局所音速値が既知であることから求められる。
【００８０】
また、仮想合成受信波ＷＳＵＭの算出は、実際に格子点Ａ１，Ａ２，…から遅延ＸＲＯＩＡ１／Ｖ，ＸＲＯＩＡ２／Ｖ，…で発した既定のパルス波（それぞれＷＡ１，ＷＡ２，…）を重ね合わせることにより行う。
【００８１】
次に、仮想受信波ＷＸと仮想合成受信波ＷＳＵＭの誤差が算出される（ステップＳ３１０）。仮想受信波ＷＸと仮想合成受信波ＷＳＵＭの誤差は、互いの相互相関をとる方法、仮想受信波ＷＸに仮想合成受信波ＷＳＵＭから得られる遅延を掛けて位相整合加算する方法、または逆に仮想合成受信波ＷＳＵＭに仮想受信波ＷＸから得られる遅延を掛けて位相整合加算する方法により算出される。ここで、仮想受信波ＷＸから遅延を得るには、格子点ＸＲＯＩを反射点とし、音速Ｖで伝播した超音波が各素子に到着する時刻を遅延とすればよい。また、仮想合成受信波ＷＳＵＭから遅延を得るには、隣り合う素子間での合成受信波の位相差から等位相線を抽出し、その等位相線を遅延とするか、または単に各素子の合成受信波の最大（ピーク）位置の位相差を遅延としてもよい。また、各素子からの合成受信波の相互相関ピーク位置を遅延としてもよい。位相整合加算時の誤差は、整合加算後の波形のpeak to peakとする方法、または包絡線検波した後の振幅の最大値とする方法により求められる。
【００８２】
次に、ステップＳ３０６からＳ３１０が繰り返されて、全ての仮定音速の値での演算が終了すると（ステップＳ３１２で“Ｙ”）、格子点ＸＲＯＩにおける局所音速値が判定される（ステップＳ３１４）。ホイヘンスの原理を厳密に適用した場合、上記ステップＳ３０８において求めた仮想合成受信波ＷＳＵＭの波形は、格子点ＸＲＯＩにおける局所音速値をＶと仮定した場合の仮想受信波（反射波）ＷＸの波形と等しくなる。ステップＳ３１４では、仮想受信波ＷＸと仮想合成受信波ＷＳＵＭとの差が最小になる仮定音速の値を格子点ＸＲＯＩにおける局所音速値と判定する。
【００８３】
なお、上記の方法（仮想合成受信波形算出、仮想受信波形との誤差算出、音速判定）の代わりに、格子点ＸＲＯＩの環境音速値と格子点Ａ１，Ａ２，…の環境音速値を入力として格子点ＸＲＯＩにおける音速値を出力とするテーブルを利用してもよい。
また、異なる間隔、異なる範囲の格子点を用いて、局所音速値の判定を複数回行うようにしてもよい。
【００８４】
着目画素の局所音速値の算出が終了すると、つまりステップＳ３４が終了すると、着目画素のｙ座標の値がｙｍａｘと比較され（ステップＳ３６）、ｙの値がｙｍａｘ未満であるときは（ステップＳ３６で“Ｎ”）、ｙに１が足されて（ステップＳ３８）、ステップＳ３４の着目画素の局所音速値の算出に戻る。着目画素の局所音速値の算出（ステップＳ３４）は、ｙ＝ｙｍａｘとなるまで繰り返される。
【００８５】
ｙ＝ｙｍａｘとなると（ステップＳ３６で“Ｙ”）、着目画素のｘ座標の値がｘｍａｘと比較され（ステップＳ４０）、ｘの値がｘｍａｘ未満であるときは（ステップＳ４０で“Ｎ”）、ｘに１が足されて（ステップＳ４２）、ｙ座標の値がｙｍｉｎ（ｙ＝ｍ）に設定され（ステップＳ４４）、ステップＳ３４の着目画素の局所音速値の算出に戻る。つまり、ｙ座標方向をラインとすると、ｘ座標がｎである１ライン目の局所音速値が算出されると、ｘ座標が１だけインクリメントされ（ｎ＋１）、２ライン目の局所音速値が算出される。着目画素の局所音速値の算出（ステップＳ３４）は、着目領域全体について（ｘ＝ｘｍａｘ（ｘ＝Ｎ），ｙ＝ｙｍａｘ（ｙ＝Ｍ）まで）、局所音速値が算出されるまで繰り返される。
着目領域全体について局所音速値の算出が終了すると、音速値算出部２４から着目領域全体の局所音速値、および着目領域指定情報が出力される。
【００８６】
着目領域全体の局所音速値は、音速画像生成部２６に入力される。音速画像生成部２６では、着目領域全体の局所音速値から、音速画像が生成され音速画像データとして出力される（ステップＳ４６）。
【００８７】
また、着目領域全体の局所音速値は、画素組織決定部２８にも入力される。画素組織決定部２８では、局所音速値と特徴情報とに基づいて、着目領域全体について画素ごとに属する組織が決定され、画素組織情報として出力される（ステップＳ４８）。
【００８８】
音速画像データ、画素組織情報、および着目領域指定情報は、着目領域分割部３０に入力される。着目領域分割部３０では、画素組織情報に基づき、音速画像の隣接する画素と組織が同一である画素は、同一の分割領域に属するように、着目領域が２以上の分割領域に分割される。また、分割されたそれぞれの分割領域の境界線、分割数、および、各画素がどの分割領域に属するかを示す属性等の情報を含む着目領域の情報が、着目領域情報として生成され出力される（ステップＳ５０）。
【００８９】
図９に領域分割の一例を示す。図９はＢモード画像全体が着目領域として指定された場合の音速画像であり、音速画像の略中央部の点線６６を境として画素組織情報の組織が異なる状態となっている。この点線６６によって、音速画像は上下に分割され、分割領域６２，６４とされる。
【００９０】
画素組織情報、および着目領域情報は、分割領域組織決定部３２に入力される。分割領域組織決定部３２では、それぞれの分割領域の組織が画素組織情報に基づいて決定され、領域組織情報として着目領域情報に付加され、領域情報として出力される（ステップＳ５２）。例えば、上記の例では、分割領域６２が脂肪、分割領域６４が肝臓であるという領域組織情報が付加される。
【００９１】
領域情報は、着目領域全体の局所音速値とともに、組織性状情報生成部３４へ入力される。組織性状情報生成部３４では、各画素の局所音速値、および、その属する分割領域に基づいて、組織性状情報が生成される（ステップＳ５４）。例えば、図９の音速画像では、分割領域６２の局所音速値の平均値が１４５０ｍ／ｓｅｃ、領域６４の局所音速値の平均値が１５５５ｍ／ｓｅｃであった場合、分割領域６２の組織性状情報として「局所音速値の平均値：１４５０ｍ／ｓｅｃ」、分割領域６４の組織性状情報として「局所音速値の平均値：１５５５ｍ／ｓｅｃ」というような組織性状情報が生成される。
【００９２】
組織性状情報が生成されると、さらに診断情報が必要な場合には（ステップＳ５６で“Ｙ”）、組織性状情報は診断情報生成部３６に入力され、組織性状情報に基づき診断情報が生成され出力される（ステップＳ５８）。診断情報は、病変の種類、および／または病変の程度（進行度）を表し、例えば、病変の進行度ごとの局所音速値の範囲を記録したテーブルによって病変の進行度の情報が生成される。病変の進行度としては、例えば、肝硬変の進行度を表すＦ０〜Ｆ４などの指標を用いることができる。上記の分割領域６４の例では、分割領域６４は局所音速値が１５５５ｍ／ｓｅｃであるので、例えば、「肝硬変の進行度：Ｆ０」であるとの診断情報が生成される。なお、テーブルに用いる局所音速値の範囲は、組織名称と同じく予め統計的に求めておいてもよい。
【００９３】
なお、診断情報は、組織性状情報生成部３４にフィードバックされ、組織性状情報に反映されるようにしてもよい。また、例えば、肝臓という領域組織情報が生成された場合に、当該分割領域の組織性状情報と正常な肝臓の組織性状情報との差分を取るようにしてもよい。
【００９４】
画像処理部３８には、Ｂモード画像データ、音速画像データ、領域情報、組織性状情報、および診断情報が入力される。画像処理部３８では、入力された各種画像データに対して通常の画像データへの変換、各種画像データの重畳表示、各種画像データへの組織性状情報および／または診断情報の重畳表示、強調表示、およびマスク処理等が行われ、表示画像データが生成され、表示部４０に対して出力され表示される（ステップＳ６０）。
【００９５】
ここで、表示部４０に表示される表示画像データの例を挙げる。図１０に示すように、音速画像に領域組織情報のみを表示するようにしてもよいし、図１１に示すように、さらに組織性状情報として、各分割領域の局所音速値の平均値を表示するようにしてもよい。また、図１２に示すように、さらに、病変の種類および進行度（図中、Ｆ０）を表示させてもよい。このとき、分割領域が小さい場合は、組織名を省略して進行度のみを表示するようにしてもよい。
他にも、音速画像の色（輝度、色相、彩度）を変調する、各種画像を単独または並べて表示する、必要な部分のみ限定して表示する、拡大または縮小して表示する等、各種の表示方法を用いてもよい。
【００９６】
また、上記の各種の表示画像をオペレータが操作部１２を介して、任意に表示モードが切り替えられるようにしてもよい。
【００９７】
以上のように、局所音速値を測定するための専用の超音波を送受信する構成を用いずに、分割された各領域について局所音速値だけでなく、分割された各分割領域の組織の種類を表す領域組織情報、および局所音速値の分布の特徴を表す組織性状情報を求めることができ、さらに病変の種類、および病変の程度といった医師の診断に資する診断情報も提供することができる。
【００９８】
なお、着目領域の次元は、１次元（音線）、２次元（Ｂモード画像：平面）、３次元（立体）、および４次元（立体に時間軸を加える）のいずれでもよく、表示する画像も同様にいずれでもよい。例えば、１次元では、音線信号をそのまま表示するＡモード表示や、Ｂモード画像を音線と直交する直線で切り取ったプロファイル表示が挙げられる。３次元では、Ｂモード画像を着目領域について奥行き方向の情報を付加したものが挙げられ、４次元ではさらに時間軸を加えて動画像で表示するようにしたものが挙げられる。
【００９９】
また、組織性状情報には領域組織情報が反映されてもよい。例えば、領域組織情報から得られた組織の正常時の組織性状情報との差分を取って新たな組織性状情報としてもよい。
さらに、組織性状情報にはオペレータにより設定された情報が反映されてもよく、例えば、オペレータにより肝臓が設定されると、正常な肝臓の組織性状情報との差分をとるようにしてもよい。これにより、例えば、肝硬変の進行度をより分かり易く示すことができる。
【０１００】
また、上記の実施形態では、診断情報を生成するためにテーブルを用いたが、診断情報を複数の組織性状情報に基づいて生成する場合には、重回帰式等の導出式を用いてもよい。
さらに、表示画像上に表される各分割領域について、画面上に選択ボタンを設けて、オペレータが必要な分割領域のみ表示させるようにしてもよい。
また、上記の各実施形態では、局所音速値をＢモード画像の各画素に割り当てて音速画像を生成したが、これに限定されず、音速画像の画素はＢモード画像の画素と１対１で対応しなくてもよい。例えば、Ｂモード画像の４画素分を音速画像の１画素としてもよい。
【０１０１】
また、上記の実施形態では、通常観察時（ライブモード）の動作について説明したが、ＲＦデータ記録再生部４２に記録されたＲＦデータに基づいて、Ｂモード画像および音速画像が生成されるようにしてもよい。
【０１０２】
なお、本発明においては、上述した超音波画像生成方法の各工程をコンピュータに実行させるための超音波画像生成プログラムとして構成してもよいし、また、コンピュータを、超音波画像生成方法の各工程を実施する各手段として、または、上述した超音波画像診断装置を構成する各手段として機能させる超音波画像生成プログラムとして構成してもよい。
また、本発明を、上述した超音波画像生成プログラムをコンピュータにより読取可能な媒体またはコンピュータにより読取可能なメモリとして構成してもよい。
【０１０３】
以上、本発明に係る超音波画像診断装置、超音波画像生成方法およびプログラムについて詳細に説明したが、本発明は、上記実施形態に限定されるものではなく、本発明の要旨を逸脱しない範囲において、各種の改良や変更を行ってもよい。
【符号の説明】
【０１０４】
１０  超音波画像診断装置
１２  操作部
１４  制御部
１６  超音波探触子
１８  超音波トランスデューサ
２０  送受信部
２２  信号処理部
２４  音速値算出部
２６  音速画像生成部
２７  領域分割部
２８  画素組織決定部
３０  着目領域分割部
３２  分割領域組織決定部
３４  組織性状情報生成部
３６  診断情報生成部
３８  画像処理部
４０  表示部
４２  ＲＦデータ記録再生部
４４  環境音速値算出部
４６  局所音速値算出部
４８  フォーカス指標算出部
５０  環境音速プロファイル生成部
５２  環境音速値決定部
５４  仮想受信波・仮想合成受信波算出部
５６  誤差プロファイル生成部
５８  局所音速値決定部
６０  着目領域
６２，６４  分割領域
６６  点線（分割された境界を表す点線）
【図１】
2012071042.tif 000004
【図２】
2012071042.tif 000005
【図３】
2012071042.tif 000006
【図４】
2012071042.tif 000007
【図５】
2012071042.tif 000008
【図６】
2012071042.tif 000009
【図７】
2012071042.tif 000010
【図８】
2012071042.tif 000011
【図９】
2012071042.tif 000012
【図１０】
2012071042.tif 000013
【図１１】
2012071042.tif 000014
【図１２】
2012071042.tif 000015